(57)【要約】【課題】パネル材同士を直接連結可能とし、部品点数を減らすと共に組み立て作業も容易でかつ迅速にできるようにした防水板を提供する。【解決手段】下位のパネル材２ａの上面前端部に垂直方向に沿って略円弧状の突起部６を形成する一方、上位のパネル材２ｂの下面前端部には略円弧状の溝部８を形成する。また、上位のパネル材２ｂの溝部８を下位のパネル材２ａの突起部６に嵌め込んで上位のパネル材２ｂを回転させながら起立させると、上位のパネル材２ｂの後面に備えた係合片９が下位のパネル材２ａの後面に備えた係止片７に係合して掛け止められ上下のパネル材を連結固定するように構成する。【選択図】  図３
2005002644.tif 000002
【特許請求の範囲】
【請求項１】
分割したパネル材を上下に積み重ね、各パネル材間を相互に連結して所望高さに形成する防水板であって、下位のパネル材の上面前端部に垂直方向に略円弧状の突起部を形成する一方、上位のパネル材の下面前端部には前記突起部に嵌合する略円弧状の溝部を形成し、上位のパネル材の溝部を下位のパネル材の突起部に嵌め込んで上位のパネル材を回転させながら起立させると、上位のパネル材の後面に備えた係合片が下位のパネル材の後面に備えた係止片に係合して上下のパネル材を連結固定するように構成したことを特徴とする防水板。
【発明の詳細な説明】
【０００１】
【発明の属する技術分野】
本発明は、台風や集中豪雨などによる増水が発生した際に、地下道や建物などの入口から雨水が侵入するのを防止する防水板に関する。
【０００２】
【従来の技術】
台風や集中豪雨などによって増水が発生すると、地下道や建物などの入口の床面を水位が超えるような場合があり、その際には通路や屋内が浸水するなどして甚大な被害を及ぼすおそれがある。そこで、このような事態に備えて、予め地下道や建物などの入口の両脇に溝付きの支柱を対向させて立設しておくと共に、防水板をその近傍に格納しておき、いざ増水が発生したときには、防水板を取り出してきて前記支柱の溝内へ差し込み、入口を閉鎖して浸水をくい止めるようにしたものが従来よりある。防水板は、多量の流水による水圧にも耐え得るだけの十分な強度を有し、かつ取り扱いに優れる軽量なアルミニウム合金製のものが広く知られており、アルミニウム合金から押し出し成型した所定高さサイズのパネル材を上下に適宜数積み重ねて連結し、個々の入口に応じた高さとしている。
【０００３】
このような防水板としては、例えば、実公平４−１５７８４号公報に示される防潮板や、実公平４−２１８５７号公報に示される防水板などがある。実公平４−１５７８４号公報の防潮板は、アルミニウム合金から押し出し成型したパネル材を適宜数上下に積み重ね、相互をタッピン螺子にて螺着することで連結して所望高さの防潮板を形成するようにしたものである。また、実公平４−２１８５７号公報の防水板は、上下に積み重ねたパネル材間に連結材を介することで連結し、所望高さの防水板を形成するようにしたものである。
【０００４】
【発明が解決しようとする課題】
しかしながら、上記従来例では、パネル材同士を連結して防水板を組み立てる際に別途タッピン螺子や専用の連結材を要するため、部品点数が多く、組み立て作業にも手間がかかる欠点を有していた。
【０００５】
本発明は上記の点に鑑み、パネル材同士を直接連結可能とし、部品点数を減らすと共に組み立て作業も容易でかつ迅速にできるようにした防水板を提供することを課題とする。
【０００６】
【課題を解決するための手段】
上記の課題を解決するために、本発明の防水板にあっては、分割したパネル材を上下に積み重ね、各パネル材間を相互に連結して所望高さに形成する防水板であって、下位のパネル材の上面前端部に垂直方向に略円弧状の突起部を形成する一方、上位のパネル材の下面前端部には前記突起部に嵌合する略円弧状の溝部を形成し、上位のパネル材の溝部を下位のパネル材の突起部に嵌め込んで上位のパネル材を回転させながら起立させると、上位のパネル材の後面に備えた係合片が下位のパネル材の後面に備えた係止片に係合して上下のパネル材を連結固定するように構成したことを特徴としている。
【０００７】
【発明の実施の形態】
本発明に係る防水板によれば、パネル材を互いに連結できるように、パネル材の連結部に略円弧状の突起部と該突起部に嵌合する略円弧状の溝部、及び、前記溝部に突起部を嵌め込んでパネル材を起立したときに係合して掛け止めする係止片と係合片とより成る連結手段をパネル材成型時にパネル材自体に一体的に形成しておく。そして、分割したパネル材を連結して防水板を組み立てる際には、先ず、起立させた下位のパネル材上面前端部の突起部に対し、前傾させた上位のパネル材下面前端部の溝部を挿入し、上位のパネル材を徐々に回転させながら略円弧状の突起部に溝部を嵌め込んでいき、上位のパネル材を起立させる。この上位のパネル材を起立したときに、下位のパネル材の後面に備えた係止片に上位のパネル材に備えている係合片が係合して掛け止めされ、上下パネル材は二カ所で強固に固定されることとなる。同様にして分割したパネル材を適宜数連結して所定の高さの防水板とするのである。
【０００８】
このように、パネル材の成型時に形成した連結手段によって連結固定するので、パネル材同士の連結に螺子や連結具などを要せず、部品点数を減らせて低廉化を図れると共に、何ら工具を使用せずに組み立て作業も容易でかつ迅速に行える。
【０００９】
【実施例】
以下、本発明の実施例を図面に基づいて説明する。
【００１０】
図１は地下道や建物などの入口に設置して内部への浸水を防止する防水装置を示すものであって、入口の両側壁面に対向させて立設した一対の溝付き支柱Ａ、及び入口の床面に埋設した溝付き底板Ｂとから形成される略Ｕ字形状の溝Ｃに対し、板材である防水板１を差し込んで入口を閉鎖するようにしている。
【００１１】
前記防水板１は、アルミニウム合金から押し出し成型した中空の下部パネル材２ａ、中間パネル材２ｂ、及び上部パネル材２ｃを上下に積み重ねた上で、その側部を側板３にて連結して一体化したものであり、この防水板１を前記溝Ｃに差し込んだ後、中間パネル材２ｂ両端部に回動自在に備えた締め付けハンドル４を締め付け操作することにより、防水板１全体を溝付き支柱Ａや溝付き底板Ｂの側面に押圧付勢して下部パネル材２ａの前面の全幅と側板３の前面の高さ方向全域にわたって固着した水密ゴム５を押し付け、防水板１の水密を図って浸水を阻止できる構造としている。
【００１２】
図２は前記防水板１の縦断面図を示すものであって、下位側より下部パネル材２ａ、中間パネル材２ｂ、上部パネル材２ｃの順に積み重ねている。なお、図面では中間パネル材２ｂは高さ１００ｍｍ程度のものを二枚使用しているが、高さや使用枚数を適宜変更して設置箇所に応じた防水板高さに調整すると良い。
【００１３】
前記下部パネル材２ａは防水板１の下端部分を成すものであり、その下面は溝Ｃに立設可能なように平坦に形成していると共に、上面前端部には垂直方向に略円弧状の突起部６を形成している一方、その後面には係止片７を備えている。
【００１４】
中間パネル材２ｂは防水板１の中間部分を成すものであり、その下面前端部には前記突起部６に嵌合可能な略円弧状の溝部８を形成している一方、その後面には前記係止片７に係合可能な係合片９を備えている。また、上面前端部には前記同様に突起部６を形成している一方、その後面には前記同様に係止片７を備えている。
【００１５】
上部パネル材２ｃは防水板１の上端部分を成すものであり、その下面前端部には前記同様に溝部８を形成している一方、後面には前記同様に係合片９を備えていると共に、その上面は平坦に形成している。また、各突起部６と溝部８との間には、ひも状の水密ゴム１０を介在させており、連結部における水密を図っている。
【００１６】
また、各パネル材２ａ、２ｂ、２ｃ内部にはビス溝１１を適宜配置し、側板３を板状の水密ゴムを介在させながらビスで固定可能としている。
【００１７】
しかして、下部パネル材２ａ、中間パネル材２ｂ、上部パネル材２ｃを上下に連結して防水板１を組み立てる場合には、図３に示すように、先ず、作業床上に置いた下部パネル材２ａの上面前端部の突起部６に対し、前傾させた状態の中間パネル材２ｂの下面前端部の溝部８を挿入し、水密ゴム１０を介在させた状態で中間パネル材２ｂを矢印方向へ回動させて略円弧状の突起部６に溝部８を嵌め込んでいく（ａ）。そして、中間パネル材２ｂが起立すると、中間パネル材２ｂの後面の係合片９が下部パネル材２ａの係止片７に係合して掛け止められ、下部パネル材２ａと中間パネル材２ｂとが連結される。このとき、水密ゴム１０は両パネル材２ａ、２ｂによって挟み込まれ、水密効果が高まって浸水を確実に阻止できる（ｂ）。
【００１８】
続いて、同様の手順にて所望数の中間パネル材２ｂを連結した後、最上部の上部パネル材２ｃを同様の手順にて連結する（ｃ）。そして、上部パネル材２ｃが完全に起立すると、パネル材の連結が完了する（ｄ）。この組み立てたパネル材の両側面部に側板３を固着すれば防水板１の組み立てが完了し、これを図１のように、一対の溝付き支柱Ａ間に立設し、締め付けハンドル４を回動して締め付け操作して固定する。
【００１９】
このように、下部パネル材２ａ、中間パネル材２ｂ、上部パネル材２ｃパの成型時に一体的に形成した連結手段によって連結固定するので、パネル材同士の連結に螺子や連結具などを要せず、部品点数を減らせて低廉化を図れると共に、何ら工具を使用せずに組み立て作業も容易でかつ迅速に行える。
【００２０】
なお、実施例では、下位のパネル材の上面前端部に略円弧状の突起部６を、上位のパネル材の下面前端部に前記突起部６に嵌合する略円弧状の溝部８を形成したが、突起部６と溝部８を上位と下位のパネル材にそれぞれ逆に形成しても良いことは勿論であり、また、係止片７と係合片９との重合部分を長くして強度を持たせるようにしたが、この重合部分を短くしても良いなど、種々変更が可能であり、要は、パネル材の連結部に略円弧状の突起部６と該突起部に嵌合する略円弧状の溝部８を形成し、突起部６に溝部８に嵌め込みながらパネル材を起立したときにもう一カ所で掛け止めできるようにしておけば良いのである。
【００２１】
【発明の効果】
以上のように本発明に係る防水板によれば、分割したパネル材を上下に積み重ね、各パネル材間を相互に連結して所望高さに形成する防水板であって、下位のパネル材の上面前端部に垂直方向に略円弧状の突起部を形成する一方、上位のパネル材の下面前端部には前記突起部に嵌合する略円弧状の溝部を形成し、上位のパネル材の溝部を下位のパネル材の突起部に嵌め込んで上位のパネル材を回転させながら起立させると、上位のパネル材の後面に備えた係合片が下位のパネル材の後面に備えた係止片に係合して上下のパネル材を連結固定するように構成したので、パネル材同士の連結に螺子や連結具などを要せず、部品点数を減らせて低廉化を図れると共に、何ら工具を使用せずに組み立て作業も容易でかつ迅速に行える。
【図面の簡単な説明】
【図１】本発明に係る防水板を採用した防水装置を示す一部切り欠き斜視図である。
【図２】本発明に係る防水板の一部を省略した縦断面図である。
【図３】本発明に係る防水板を組み立てる作業手順を示す説明図である。
【符号の説明】
１…防水板                        ２ａ…下部パネル材（パネル材）
２ｂ…中間パネル材（パネル材）    ２ｃ…上部パネル材（パネル材）
３…側板                          ６…突起部
７…係止片                        ８…溝部
９…係合片
【図１】
2005002644.tif 000003
【図２】
2005002644.tif 000004
【図３】
2005002644.tif 000005